(57)【要約】      （修正有）【課題】天候不良であっても傘を持って片手運転する必要がなくまた多少の風にも耐えて自転車の走行を困難なく達成し得る傘取り付け具を提供する。【解決手段】軸取り付け部分１２には予め軸方向に切り欠きが設けられていて自転車ハンドル軸を一部露出させるようにし、該軸取り付け具１１を例えばホースバンド１３などを用いて軸を抱くように締め付け固定する。自転車ハンドル軸上の軸取り付け具１１と傘の軸とが一致すれば、傘の軸が運転者の目の直前にあって運転上障害となる場合があるので、傘の位置を調整できるよう上部パイプ１４及び蝶螺子１５により傘の位置を任意に固定する。上部パイプ１４にはアーム１６が延在され、その先端に傘が固定される。【選択図】図１−１
0003116388.tif 000002
【実用新案登録請求の範囲】
【請求項１】
自転車のハンドル軸に取り付けて使用し一部に可撓性部材を用いる雨傘取り付け具。
【考案の詳細な説明】
【技術分野】
【０００１】本考案は自転車に取り付けて使用する傘の取り付け具に関する。
【背景技術】
【０００２】従来は例えば雨中或いは雪中で傘を差す場合片手で雨具を持って、一方の手で自転車のハンドルを握って走行するのが常であった。
【考案の開示】
【考案が解決しようとする課題】
【０００３】雨または雪中で自転車を走行する場合、傘を持って片手運転をすると運転者自身が非常に危険であるばかりか、万一運転が不安定になると歩行者や自動車運転者など他者に対しても迷惑を及ぼすこととなりかねない。
【課題を解決するための手段】
【０００４】この考案はこの点に鑑みてなされたものであって、天候不良であっても傘を持って片手運転する必要がなくまた多少の風にも耐えて自転車の走行を困難なく達成し得るものであり、一方天候の回復をみて簡単に取り外すことができる傘取り付け具である。
【考案の効果】
【０００５】自転車の走行に際して常に両手を使って正常な運転を行うことが出来、しかも傘を取り付けるパイプに柔軟性を持たせてあることから、多少の風をうけても安全運転が可能であり、併せて着脱が極めて容易である。
【考案を実施するための最良の形態】
【０００６】本考案は自転車用として用いられる雨傘の取り付け具に関するもので本考案は雨中或いは雪中で自転車を走行せんとする場合、傘を片手に持つ片手運転をしないように考案された傘取り付け具である。【０００７】すなわち、自転車のハンドル軸に取り付けられる部材とそれに付随する可撓性部材を備えた部材とその上部に設けられたパイプに傘の軸を挿入し固着出来るように構成したもので、以下本考案につき図面を参照しながら説明する。【０００８】第１−１図は雨傘を取り付ける本出願の全体を示しており、自転車のハンドル軸を外側から抱くように固定するため、ハンドル軸の直径よりやや大きめの内径を有する軸取り付け具１１を用いてハンドル軸に取り付ける。取り付け方次のようである。【０００９】軸取り付け部分１２には予め軸方向に切り欠きが設けられていて自転車ハンドル軸を一部露出させるようにし、該軸取り付け具１１を例えばホースバンド１３などを用いて軸を抱くように締め付け固定する。【００１０】自転車ハンドル軸上の軸取り付け具１１と傘の軸とが一致すれば、傘の軸が運転者の目の直前にあって運転上障害となる場合があるので、傘の位置を調整できるよう上部パイプ１４及び蝶螺子１５により傘の位置を任意に固定する。上部パイプ１４にはアーム１６が延在され、その先端に傘が固定される。【００１１】以上は自転車ハンドル軸に固着させるための固定部材であるが、さらに傘固定用の部材について詳細に説明する。【００１２】アーム１６を延在させた先端に可撓部材受け１７を設ける。傘を取り付けたときその角度を自由に調整できるよう可撓部材受け１７は使いやすい角度と位置で螺着させるよう蝶螺子１８が用意される。【００１３】可撓部材受け１７には可撓部材１９を挿入する。可撓部材１９はここに例示するものはスプリングであるが、あらゆる方向に撓むこと可能であってしかも弾撥力があり、傘を十分保持出来るものであれば材質を問わない。【００１４】スプリングは内挿してもあるいは外側から巻きつける構造としても良いことは勿論である。ここではスプリングを例示したが、例えばピアノ線を結束したもの、プラスチック製のロッドなども上記物性を満足するものであれば、好適な部材として挙げられよう。【００１５】第１−２図は第１−１図をＡ方向から見た図であり、詳細に説明すれば、可撓部材１９の上部には傘軸受け用のパイプ支持具２１と対をなす形で、傘の軸を挿入する傘軸受けパイプ２２があり可撓部材１９をパイプ内に挿入（外挿の場合は外側がスプリングとなる）する。【００１６】傘軸受け用パイプ支持具２１側面には蝶螺子２０があり傘の軸により運転者の体格に合わせて傘を自転車の運転容易な位置で固定する。【００１７】傘軸の取り付けは蝶螺子２０により上下を調節し得る。【００１８】以上のように構成したので該自転車用傘は傘を風向きに合わせて設定し、或いは取り付け角度も自由で、簡便な取り扱いであり十分正面からの雨足を防除出来るものである。【００１９】上記により明らかなように、本考案の自転車用傘取り付け具は、傘を自由に取り付け、かつ、しかも天候の回復によって簡単に取り外すことが可能であり、傘使用時であっても両手でハンドル操作が出来るので自転車の安全走行が可能である。【００２０】しかも可撓性部材を用いているので風の吹き回しに無関係に使用出来て実用上の価値が極めて高い。【００２１】また一般に販売されている傘には柄（把持部）が取り付けられているが、該部材は簡単に外すことが可能で特に専門家の手を煩わす必要はないなどの利点がある。
【産業上の利用可能性】
【００２２】自転車は健康上の理由とその簡便性から自動二輪車、自動車が今後どのように使いやすくなろうとも製造が廃止しされることは考え難い。また海外の都市によっては排気ガスによる公害防止の観点から、自転車のみ通行可能とする地域を設けている所もあるくらいであって、このような雨具に関する器具は将来とも需要は見込まれる。
【図面の簡単な説明】
【００２３】
【図１−１】は傘取り付け部。
【図１−２】は傘取り付け具の詳細図。
【図２】は傘の取り付け状況を示す図である。
【符号の説明】
【００２４】１０  …  取り付け具全体図
１１  …  軸取り付け具
１２  …  軸取り付け部分
１３  …  取り付け具（ホースバンド）
１４  …  上部パイプ
１５，１８，２０  …  蝶裸子
１６  …  アーム
１７  …  可撓部材受け
１９  …  可撓部材
２１  …  軸受けパイプ支持具
２２  …  （傘の軸を挿入する）傘軸受けパイプ
【図１−１】
0003116388.tif 000003
【図１−２】
0003116388.tif 000004
【図２】
0003116388.tif 000005
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
自転車ハンドル軸外径よりやや大きい内径を有する軸取り付け具１１を用意し、軸取り付け具１１の下部軸取り付け部分１２は予め軸方向に切り欠き部分を設け自転車ハンドル軸の一部が露出できる形状とし、これに対してアーム１６を有し、かつ上部パイプ１４内に挿入出来るロッドを有する軸取り付け具１１の前記ロッドを上部パイプに挿入したあと所望の向きに蝶裸子１５により固定し、取り付け具１３により軸を抱くように自転車のハンドル軸に締め付け固定し、更にアーム１６の先端に可撓部材受け１７を蝶裸子１８により取り付け、（傘の軸を挿入する）軸受けパイプ支持具２１を可撓部材１９を介して一体化して組み立て、蝶裸子２０により傘の高さを調節し固定することが出来る自転車に取り付け使用する雨傘取り付け具。